(57)【要約】【課題】、電力を使用せずに遊技玉を循環利用することができ、簡素な構造で、故障も発生し難い、パチンコゲーム機を提供する。【解決手段】パチンコゲーム機１０は、遊技領域１１に開設された入賞口１２、大入賞口１３及びアウト口１４と遊技領域１１の下方に開設された玉排出口１５とを有する遊技盤１６と、遊技盤１６の遊技領域１１に向かって遊技玉Ｐを発射する打ち出し手段１７と、玉排出口１５から排出される遊技玉Ｐを収容するため遊技盤１６の正面側に配置された上部受け皿１８と、を備えている。また、打ち出し手段１７から発射され入賞口１２、大入賞口１３若しくはアウト口１４に入って遊技盤１６の背面側へ移動した遊技玉Ｐを玉排出口１５へ誘導するガイド部材１９が、遊技盤１６の背面側の入賞口１２、大入賞口１３及びアウト口１４より低く且つ玉排出口１５より高い領域内に設けられている。【選択図】図１
2011239998.tif 000002
【特許請求の範囲】
【請求項１】
遊技領域に開設された入賞口及びアウト口と前記遊技領域の下方に開設された玉排出口とを有する遊技盤と、前記遊技盤に向かって遊技玉を発射する打ち出し手段と、前記玉排出口から排出される遊技玉を収容するため前記遊技盤の正面側に配置された受け皿と、を備えたパチンコゲーム機において、前記打ち出し手段から発射され前記入賞口若しくは前記アウト口に入って前記遊技盤の背面側へ移動した遊技玉を前記玉排出口へ誘導する循環経路を、前記遊技盤の背面側の前記入賞口及び前記アウト口より低く且つ前記玉排出口より高い領域内に設けたことを特徴とするパチンコゲーム機。
【請求項２】
前記循環経路として、前記遊技盤の背面における前記入賞口及び前記アウト口の開口部から落下した遊技玉を捕捉して、前記遊技盤の背面における前記玉排出口の開口部へ誘導するガイド部材を設けた請求項１記載のパチンコゲーム機。
【請求項３】
前記ガイド部材として樋状部材を設けた請求項２記載のパチンコゲーム機。
【請求項４】
前記打ち出し手段から発射された遊技玉を前記遊技盤の遊技領域の上方へ誘導するガイドレールを設けるとともに、前記ガイドレールの一部に、前記打ち出し手段から発射され前記遊技領域に到達しない遊技玉を前記受け皿へ落下させる切欠部を設けた請求項１〜３のいずれかに記載のパチンコゲーム機。
【請求項５】
前記打ち出し手段から発射され前記入賞口に入った遊技玉を検知して入賞信号を発信するセンサと、前記センサから発信された入賞信号に基づいてゲーム結果を算出する制御部と、前記制御部が算出したゲーム結果を表示する表示部と、を設けた請求項１〜４のいずれかに記載のパチンコゲーム機。
【発明の詳細な説明】
【技術分野】
【０００１】
本発明は、遊技者が打ち出し手段を操作して発射した遊技玉を遊技盤に開設された入賞口に入れて点数やメダルなどを得るゲームを行うパチンコゲーム機に関する。
【背景技術】
【０００２】
ゲームセンターやゲームコーナなどに設置されるパチンコゲーム機については、従来、様々なデザインやゲーム機能を有するものが開発されているが、近年、なるべく少ない個数の遊技玉でゲームを遂行可能とすることを目的として、パチンコゲーム機の遊技盤から排出された遊技玉を循環して使用する機構を設けたものが提案されている（例えば、特許文献１，２参照。）。
【先行技術文献】
【特許文献】
【０００３】
【特許文献１】特開２００８−５８７０号公報
【特許文献２】特開２００２−３０６８１５号公報
【発明の概要】
【発明が解決しようとする課題】
【０００４】
特許文献１，２に記載されている遊技玉の循環機構は遊技盤の背面側に配置され、遊技盤から排出された遊技玉を一旦、上方へ移動させて循環使用する方式であるため、遊技玉を上昇移動させる動力源となる電力が必要である。また、循環機構が遊技盤の背面側に配置されるので、パチンコゲーム機全体が大型化する。
【０００５】
また、循環機構を稼働させるためのモータやセンサ及びこれらの制御回路などが必要であるため、パチンコゲーム機の構造が複雑化し、故障要因も増大する。さらに、循環機構を構成する遊技玉の上昇装置などにおいては、玉詰まりなどのトラブルが発生しやすい。
【０００６】
そこで、本発明が解決しようとする課題は、電力を使用せずに遊技玉を循環利用することができ、簡素な構造で、故障も発生し難い、パチンコゲーム機を提供することにある。
【課題を解決するための手段】
【０００７】
本発明のパチンコゲーム機は、遊技領域に開設された入賞口及びアウト口と前記遊技領域の下方に開設された回収口とを有する遊技盤と、前記遊技盤に向かって遊技玉を発射する打ち出し手段と、前記玉排出口から排出される遊技玉を収容するため前記遊技盤の正面側に配置された受け皿と、を備えたパチンコゲーム機において、前記打ち出し手段から発射され前記入賞口若しくは前記アウト口に入って前記遊技盤の背面側へ移動した遊技玉を前記玉排出口へ誘導する循環経路を、前記遊技盤の背面側の前記入賞口及び前記アウト口より低く且つ前記玉排出口より高い領域内に設けたことを特徴とする。
【０００８】
このような構成とすれば、前記打ち出し手段から発射され前記入賞口若しくは前記アウト口に入って前記遊技盤の背面側へ移動した遊技玉は、入賞口及びアウト口より低い位置にある循環経路に向かって落下した後、循環経路を経由して、これより低い位置にある玉排出口へ誘導され、玉排出口を通過して遊技盤の正面側に排出され受け皿に収容されるので、受け皿から所定経路を経由して打ち出し手段へ遊技玉を移動させながら、遊技を続行することができる。
【０００９】
このように、入賞口若しくはアウト口に入って遊技盤の背面側へ移動した遊技玉は、重力作用のみによって移動して受け皿に回収されるので、電力を使用せずに遊技玉を循環利用することができる。また、遊技玉を移動させるためのモータや制御回路などが不要であるため、構造は簡素であり、遊技玉を上昇移動させる機構が無いので、玉詰まりなどの故障も発生し難い。
【００１０】
ここで、前記循環経路として、前記遊技盤の背面における前記入賞口及び前記アウト口の開口部から落下した遊技玉を捕捉して、前記遊技盤の背面における前記玉排出口の開口部へ誘導するガイド部材を設けることができる。このような構成とすれば、簡素な構造でありながら、遊技玉を確実に玉排出口の開口部まで誘導することができる。
【００１１】
この場合、前記ガイド部材として樋状部材を設けることができる。樋状部材は、上面が開放した形状であるので、遊技玉を円滑に玉排出口の開口部まで誘導させることができ、玉詰まりも発生し難く、万一、玉詰まりが発生したときの対応も容易である。
【００１２】
一方、前記打ち出し手段から発射された遊技玉を前記遊技盤の遊技領域の上方へ誘導するガイドレールを設けるとともに、前記ガイドレールの一部に、前記打ち出し手段から発射され前記遊技領域に到達しない遊技玉を前記受け皿へ落下させる切欠部を設けることが望ましい。
【００１３】
このような構成とすれば、遊技者が打ち損じた遊技玉を確実に受け皿へ回収することができる。
【００１４】
さらに、前記打ち出し手段から発射され前記入賞口に入った遊技玉を検知して入賞信号を発信するセンサと、前記センサから発信された入賞信号に基づいてゲーム結果を算出する制御部と、前記制御部が算出したゲーム結果を表示する表示部と、を設けることもできる。
【００１５】
このような構成とすれば、遊技者はパチンコゲームの進行状況やゲーム結果を確実に把握することができる。
【発明の効果】
【００１６】
本発明により、電力を使用せずに遊技玉を循環利用することができ、簡素な構造で、故障も発生し難い、パチンコゲーム機を提供することができる。
【図面の簡単な説明】
【００１７】
【図１】本発明の実施形態であるパチンコゲーム機を示す正面図である。
【図２】図１に示すパチンコゲーム機の一部省略正面側斜視図である。
【図３】図１に示すパチンコゲーム機の背面側斜視図である。
【図４】図２のＡ−Ａ線における一部省略断面図である。
【発明を実施するための形態】
【００１８】
以下、図面に基づいて本発明の実施形態について説明する。図１〜図３に示すように、本実施形態のパチンコゲーム機１０は、遊技領域１１に開設された入賞口１２、大入賞口１３及びアウト口１４と遊技領域１１の下方に開設された玉排出口１５とを有する遊技盤１６と、遊技盤１６の遊技領域１１に向かって遊技玉Ｐを発射する打ち出し手段１７と、玉排出口１５から排出される遊技玉Ｐを収容するため遊技盤１６の正面側に配置された上部受け皿１８と、を備えている。また、打ち出し手段１７から発射され入賞口１２、大入賞口１３若しくはアウト口１４のいずれかに入って遊技盤１６の背面側へ移動した遊技玉Ｐを玉排出口１５へ誘導する循環経路であるガイド部材１９が、遊技盤１６の背面側の入賞口１２、大入賞口１３及びアウト口１４より低く且つ玉排出口１５より高い領域内に設けられている。
【００１９】
図１に示すように、パチンコゲーム機１０正面の遊技盤１６の下方には、遊技者が上部受け皿１８及び下部受け皿２８が配置され、下部受け皿２８の側方には、遊技者が打ち出し手段１７を操作するための打ち出しハンドル２０が配置されている。
【００２０】
図２に示すように、遊技盤１６の正面１６ａには、打ち出し手段１７から発射された遊技玉Ｐを遊技盤１６の遊技領域１１の上方へ誘導するガイドレール２１を設けるとともに、ガイドレール２１の一部（玉排出口１５より下方部分）に、打ち出し手段１７から発射され遊技領域１１に到達しない遊技玉Ｐを上部受け皿１８へ落下させる切欠部２１ａを設けている。また、切欠部２１ａから落下した遊技玉Ｐを上部受け皿１８内へ静かに落下させるための補助誘導レール２５が切欠部２１ａの下方に配置されている。
【００２１】
図３に示すように、遊技盤１６の背面１６ｂにおいては、入賞口１２の開口部１２ａとガイド部材１９との間に、クランク状に折れ曲がった四角筒状の玉誘導部材２２が配置され、大入賞口１３の開口部１３ａとガイド部材１９との間及びアウト口１４の開口部１４ａとガイド部材１９との間には、それぞれ四角筒状の玉誘導部材２３，２４が配置されている。
【００２２】
図２，図３に示すように、遊技盤１６の背面１６ｂには、打ち出し手段１７から発射され入賞口１２や大入賞口１３に入った遊技玉Ｐを検知して入賞信号を発信するセンサ２６，２７と、これらのセンサ２６，２７から発信された入賞信号に基づいてゲーム結果を算出する制御部２９及びセンサ制御部３０と、センサ制御部２９からの送信信号に基づいてゲーム結果を表示する表示部３１と、が設けられている。
【００２３】
図３に示すように、遊技盤１６の背面１６ｂにおいて、入賞口１２、大入賞口１３及びアウト口１４の開口部１２ａ，１３ａ，１４ａから落下した遊技玉Ｐを捕捉して、玉排出口１５の開口部１５ａへ誘導するガイド部材１９は樋状部材であり、その底面１９ａは、入賞口１２、大入賞口１３及びアウト口１４のうちの最下部に位置するアウト口１４から玉排出口１５に向かって下り勾配をなしている。
【００２４】
図４に示すように、パチンコゲーム機１０においては、遊技盤１６の上方から順に入賞口１２、大入賞口１３及びアウト口１４が配置され、アウト口１４より下方に玉排出口１５が配置されている。また、入賞口１２、大入賞口１３及びアウト口１４はいずれも遊技盤１６の正面１６ａ側から背面１６ｂ側に向かって下り勾配をなすように開設され、玉排出口１５は遊技盤１６の背面１６ｂ側から正面１６ａ側に向かって下り勾配をなすように開設されている。ガイド部材１９は、遊技盤１６の背面１６ｂにおいて、アウト口１４の開口部１４ａの底縁より低く且つ玉排出口１５の開口部１５ａの底縁より高い領域に配置されている。
【００２５】
パチンコゲーム機１０において、遊技者が打ち出しハンドル２０を操作することによって打ち出し手段１７から発射され入賞口１２、大入賞口１３若しくはアウト口１４のいずれかに入って遊技盤１６の背面１６ｂ側へ移動した遊技玉Ｐは、入賞口１２、大入賞口１３及びアウト口１４の開口部１２ａ，１３ａ，１４ａより低い位置にあるガイド部材１９に向かって、それぞれ玉誘導部材２２，２３，２４内を落下する。
【００２６】
ガイド部材１９内へ落下した遊技玉Ｐは、ガイド部材１９の底面１９ａの下り勾配に沿って転動した後、ガイド部材１９の底面１９ａより低い位置にある玉排出口１５の開口部１５ａ内へ誘導され、玉排出口１５内の下り勾配に沿って玉排出口１５内を通過して遊技盤１６の正面１６ａ側に排出され、上部受け皿１８内へ収容される。
【００２７】
上部受け皿１８に収容された遊技玉Ｐは打ち出し手段１７へ移動していき、遊技者が打ち出しハンドル２０を操作することにより、再び打ち出し手段１７から遊技盤１６に向かって発射されるので、遊技者はパチンコゲームを続行することができる。
【００２８】
このように、パチンコゲーム機１０において、入賞口１２、入賞口１３大若しくはアウト口１４に入って遊技盤１６の背面１６ｂ側へ移動した遊技玉Ｐは、重力作用のみにより、ガイド部材１９に沿って移動して玉排出口１５を経由して上部受け皿１８に回収されるので、電力を使用せずに遊技玉Ｐを循環利用することができる。また、パチンコゲーム機１０は、遊技玉Ｐを循環させるためのモータや制御回路などが不要であるため、構造は簡素であり、遊技玉Ｐを上昇移動させる機構が無いので、移動経路や循環経路における玉詰まりなどの故障も発生し難い。
【００２９】
また、ガイド部材１９として、上面が開放した形状の樋状部材を用いているので、ガイド部材１９内に落下した遊技玉Ｐを円滑に玉排出口１５の開口部１５ａまで誘導させることができ、玉詰まりも発生し難く、万一、玉詰まりが発生したときの対応も容易である。
【００３０】
さらに、打ち出し手段１７から発射された遊技玉Ｐを遊技盤１６の遊技領域１１の上方へ誘導するガイドレール２１の一部に、打ち出し手段１７から発射され遊技領域１１に到達しない遊技玉Ｐを上部受け皿１８へ落下させる切欠部２１ａを設けているため、遊技者が打ち損じた遊技玉Ｐを確実に上部受け皿１８へ回収することができる。
【００３１】
一方、入賞口１２や大入賞口１３に入った遊技玉Ｐを検知して入賞信号を発信するセンサ２６，２７と、センサ２６，２７から発信された入賞信号に基づいてゲーム結果を算出する制御部２９及びセンサ制御部３０と、センサ制御部３０から送信される信号に基づいてゲーム結果を表示する表示部３１と、を設けているため、遊技者はパチンコゲームの進行状況やゲーム結果を確実に把握することができる。
【００３２】
なお、前述したパチンコゲーム機１０は本発明の一例を示すものであり、本発明は図１〜図４に示すパチンコゲーム機１０に限定されるものではないので、本発明の構成要件以外の部分、例えば、遊技盤１６のデザインやガイド部材１９，２２，２３，２４の形状、配置形態などは使用条件等に応じて設定することができる。
【産業上の利用可能性】
【００３３】
本発明のパチンコゲーム機は、ゲームセンター、ゲームコーナあるいはアミューズメントパークなどに設置して広く利用することができる。
【符号の説明】
【００３４】
１０  パチンコゲーム機
１１  遊技領域
１２  入賞口
１２ａ，１３ａ，１４ａ，１５ａ  開口部
１３  大入賞口
１４  アウト口
１５  玉排出口
１６  遊技盤
１６ａ  正面
１６ｂ  背面
１７  打ち出し手段
１８  上部受け皿
１９，２２，２３，２４  ガイド部材
１９ａ  底面
２０  打ち出しハンドル
２１  ガイドレール
２１ａ  切欠部
２５  補助誘導レール
２６，２７  センサ
２８  下部受け皿
２９  制御部
３０  センサ制御部
３１  表示部
【図１】
2011239998.tif 000003
【図２】
2011239998.tif 000004
【図３】
2011239998.tif 000005
【図４】
2011239998.tif 000006